(57)【要約】【課題】  安心して道路に車両を一時停車させるためのインフラを提供しようとする。【解決手段】  従来の駐車システムに変わって、車両が一時停車可能領域に停止したことを検知できる検知機器を準備する第一準備工程を有する準備工程と、前記検知機器が車両が一時停車可能領域に停止したことを検知したときに一時停車可能領域に停止する車両である特定車両に対応する検知情報を出力する検知工程と、検知情報に対応する特定車両の利用者に一時停車料金を課金する課金工程と、を備え、前記検知工程を実行し検知情報を出力したとき前記課金工程を実行する、ものとした。【選択図】    図１
2019003231.tif 000002
【特許請求の範囲】
【請求項１】
道路の路肩に沿ったスペースまたは道路に面したスペースに設定された単数または複数の車両が一時停車可能な一時停車可能領域に一時停車した車両の一時停車料金を精算する一時停車料金精算方法であって、
車両が一時停車可能領域に停止したことを検知できる検知機器を準備する第一準備工程を有する準備工程と、
前記検知機器が車両が一時停車可能領域に停止したことを検知したときに一時停車可能領域に停止する車両である特定車両に対応する検知情報を出力する検知工程と、
検知情報に対応する特定車両の利用者に一時停車料金を課金する課金工程と、
を備え、
前記検知工程を実行し検知情報を出力したとき前記課金工程を実行する、
ことを特徴とする一時停車料金精算方法。
【請求項２】
前記準備工程が予め車両を識別する情報である識別情報と車両の利用者の口座に関する情報である口座情報とを紐づけて記録されるデータべースを準備する第二準備工程を有し、
前記課金工程が、
前記検知情報に対応する前記特定車両の識別情報である特定識別情報を特定する特定工程と、
データベースを基に前記特定識別情報に紐付けられた前記口座情報である特定口座情報を抽出する抽出工程と、
抽出した前記特定口座情報に対応する口座から一時停車料金を引き落とす精算工程と、
を有し、
前記課金工程を実行するときに、前記特定工程を実行し、前記特定工程を実行した後に前記抽出工程を実行し、前記抽出工程を実行した後に前記精算工程を実行する、
ことを特徴とする請求項１に記載の一時停車料金精算方法。
【請求項３】
前記課金工程が、
車両の利用者に問い合わせて前記口座情報を取得する取得工程と、
取得した前記口座情報と前記特定識別情報とを紐つけて前記データベースに追記して更新する更新工程と、
を有し、
前記課金工程を実行するときに、前記抽出工程で前記特定口座情報を抽出できなかったとき前記取得工程と前記更新工程とを実行する、
ことを特徴とする請求項２に記載の一時停車料金精算方法。
【請求項４】
一時停車可能領域が道路の路肩に沿ったスペースに設定されたものであるとき、
一時停車可能領域を設定されたスペースに沿った道路の混雑状況をリアルタイムに判断する第一判断工程と、
を備え、
前記第一判断工程で一時停車可能領域を設定されたスペースに沿った道路が混雑していると判断するとき検知情報に対応する特定車両の利用者に一時停車料金を課金しない。
ことを特徴とする請求項３に記載の一時停車料金精算方法。
【請求項５】
一時停車可能領域が道路の路肩に沿ったスペースに設定されたものであるとき、
一時停車可能領域を設定されたスペースに沿った道路の下流に位置する信号機の作動状況をリアルタイムに判断する第二判断工程と、
を備え、
前記第二判断工程で一時停車可能領域を設定されたスペースに沿った道路の下流に位置する信号機の信号が停止信号であると判断するとき検知情報に対応する特定車両の利用者に一時停車料金を課金しない。
ことを特徴とする請求項４に記載の一時停車料金精算方法。
【請求項６】
一時停車可能領域が道路の路肩に沿ったスペースに設定されたものであるとき、
一時停車可能領域を設定されたスペースに沿った道路の混雑状況をリアルタイムに判断する第一判断工程と、
を備え、
前記第一判断工程で一時停車可能領域を設定されたスペースに沿った道路が混雑していると判断するとき検知情報に対応する特定車両の利用者に一時停車料金を課金しない。
ことを特徴とする請求項１に記載の一時停車料金精算方法。
【請求項７】
一時停車可能領域が道路の路肩に沿ったスペースに設定されたものであるとき、
一時停車可能領域を設定されたスペースに沿った道路の下流に位置する信号機の作動状況をリアルタイムに判断する第二判断工程と、
を備え、
前記第二判断工程で一時停車可能領域を設定されたスペースに沿った道路の下流に位置する信号機の信号が停止信号であると判断するとき検知情報に対応する特定車両の利用者に一時停車料金を課金しない。
ことを特徴とする請求項１に記載の一時停車料金精算方法。
【請求項８】
道路の路肩に沿ったスペースまたは道路に面したスペースに設定された単数または複数の車両が一時停車可能な一時停車可能領域に一時停車した車両の一時停車料金を精算する一時停車料金精算用ソフトウエアであって、
検知手順は車両が一時停車可能領域に停止したことを検知できる検知機器で車両が一時停車可能領域に停止したことを検知したときに一時停車可能領域に停止する車両である特定車両に対応する検知情報を出力する手順であって、
課金手順は前記検知情報に対応する前記特定車両の利用者に一時停車料金を課金する手順であって、
一時停車料金精算用ＰＣに、
前記検知手順を実行させ検知情報を出力したとき前記課金手順を実行させる、
ことを特徴とする一時停車料金精算用ソフトウエア。
【請求項９】
データべースは予め車両を識別する情報である識別情報と車両の利用者の口座に関する情報である口座情報とを紐づけて記録されるものであって、
前記課金手順が、
前記検知情報に対応する前記特定車両の識別情報である特定識別情報を特定する特定手順と、
データベースを基に前記特定識別情報に紐付けられた前記口座情報である特定口座情報を抽出する抽出手順と、
抽出した前記特定口座情報に対応する口座から一時停車料金を引き落とす精算手順と、
を有し、
一時停車料金精算用ＰＣに、前記課金手順を実行させるときに、前記特定手順を実行させた後で前記抽出手順を実行させ、前記抽出手順を実行させた後で前記精算手順を実行させる、
ことを特徴とする請求項８に記載の一時停車料金精算用ソフトウエア。
【請求項１０】
前記課金手順が、
車両の利用者に問い合わせて前記口座情報を取得する取得手順と、
取得した前記口座情報と前記特定識別情報とを紐つけて前記データベースに追記して更新するデータべース更新手順と、
を有し、
一時停車料金精算用ＰＣに、前記課金手順を実行させるときに、
前記抽出手順を実行させて前記特定口座情報を抽出できなかったとき前記取得手順と前記データべース更新手順とを実行させる、
ことを特徴とする請求項９に記載の一時停車料金精算用ソフトウエア。
【請求項１１】
一時停車可能領域が道路の路肩に沿ったスペースに設定されたものであるとき、
第一判断手順は一時停車可能領域を設定されたスペースに沿った道路の混雑状況をリアルタイムに判断する手順であって、
一時停車料金精算用ＰＣに、
前記第一判断手順を実行させて、一時停車可能領域を設定されたスペースに沿った道路が混雑していると判断するとき検知情報に対応する特定車両の利用者に一時停車料金を課金しない、
ことを特徴とする請求項１０の記載の一時停車料金精算用ソフトウエア。
【請求項１２】
一時停車可能領域が道路の路肩に沿ったスペースに設定されたものであるとき、
第二判断手順は一時停車可能領域を設定されたスペースに沿った道路の下流に位置する信号機の作動状況をリアルタイムに判断する手順であって、
一時停車料金精算用ＰＣに、
前記第二判断手順を実行させて、一時停車可能領域を設定されたスペースに沿った道路の下流に位置する信号機の信号が停止信号であると判断するとき検知情報に対応する特定車両の利用者に一時停車料金を課金しない、
ことを特徴とする請求項１１に記載の一時停車料金精算用ソフトウエア。
【請求項１３】
一時停車可能領域が道路の路肩に沿ったスペースに設定されたものであるとき、
第一判断手順は一時停車可能領域を設定されたスペースに沿った道路の混雑状況をリアルタイムに判断する手順であって、
一時停車料金精算用ＰＣに、
前記第一判断手順を実行させて、一時停車可能領域を設定されたスペースに沿った道路が混雑していると判断するとき検知情報に対応する特定車両の利用者に一時停車料金を課金しない、
ことを特徴とする請求項８に記載の一時停車料金精算用ソフトウエア。
【請求項１４】
一時停車可能領域が道路の路肩に沿ったスペースに設定されたものであるとき、
第二判断手順は一時停車可能領域を設定されたスペースに沿った道路の下流に位置する信号機の作動状況をリアルタイムに判断する手順であって、
一時停車料金精算用ＰＣに、
前記第二判断手順を実行させて、一時停車可能領域を設定されたスペースに沿った道路の下流に位置する信号機の信号が停止信号であると判断するとき検知情報に対応する特定車両の利用者に一時停車料金を課金しない、
ことを特徴とする請求項８に記載の一時停車料金精算用ソフトウエア。
【発明の詳細な説明】
【技術分野】
【０００１】
本発明は、道路または道路の近傍に車両を一時停車させる車両から一時停車料金を徴収するための一時停車料金精算方法と一時停車料金精算用ソフトウエアに係る。
【背景技術】
【０００２】
車両を一時停車させたい場合がある。禁止されない区間では一時停車が出来る。
【０００３】
道路上で駐車禁止のスペース、駐車可能なスペースがあるが、道路標識を見て判断する必要がある。しかし道路標識を見落とす場合がある。
また、ルールを守らない利用者も存在し、乗り降りに都合が良い場所で好き勝手に駐停車すると渋滞の原因となる。
また、自動運転車だと自動的に判断することが難しい。
【０００４】
そこで、道路上、または施設の近辺に一時停車できる場所を設置し、利用者が一時停車可能領域を安心して使用したいという要請があった。
【０００５】
そこで、発明者らは、人の乗り降りや荷物の積卸ができるスペースを提供し、利用料の課金を行うことを考案した。
【発明の概要】
【発明が解決しようとする課題】
【０００６】
本発明は以上に述べた問題点に鑑み案出されたもので、安心して道路に車両を一時停車させるためのインフラを提供しようとする。
【課題を解決するための手段】
【０００７】
上記目的を達成するため、本発明に係る道路の路肩に沿ったスペースまたは道路に面したスペースに設定された単数または複数の車両が一時停車可能な一時停車可能領域に一時停車した車両の一時停車料金を精算する一時停車料金精算方法を、車両が一時停車可能領域に停止したことを検知できる検知機器を準備する第一準備工程を有する準備工程と、前記検知機器が車両が一時停車可能領域に停止したことを検知したときに一時停車可能領域に停止する車両である特定車両に対応する検知情報を出力する検知工程と、検知情報に対応する特定車両の利用者に一時停車料金を課金する課金工程と、を備え、前記検知工程を実行し検知情報を出力したとき前記課金工程を実行する、ものとした。
【０００８】
上記本発明の構成により、検知機器は、車両が一時停車可能領域に停止したことを検知できる。検知工程は、前記検知機器が車両が一時停車可能領域に停止したことを検知したときに一時停車可能領域に停止する車両である特定車両に対応する検知情報を出力する。課金工程は、検知情報に対応する特定車両の利用者に一時停車料金を課金する。前記検知工程を実行し検知情報を出力したとき前記課金工程を実行する。
その結果、車両が安心して一時停車できるインフラを提供できる。
【０００９】
以下に、本発明の実施形態に係る一時停車料金精算方法を説明する。本発明は、以下に記載した実施形態のいずれか、またはそれらの中の二つ以上が組み合わされた態様を含む。
【００１０】
本発明の実施形態に係る一時停車料金精算方法は、前記準備工程が予め車両を識別する情報である識別情報と車両の利用者の口座に関する情報である口座情報とを紐づけて記録するデータべースを準備する第二準備工程を有し、前記課金工程が、前記検知情報に対応する前記特定車両の識別情報である特定識別情報を特定する特定工程と、データベースを基に前記特定識別情報に紐付けられた前記口座情報である特定口座情報を抽出する抽出工程と、抽出した前記特定口座情報に対応する口座から一時停車料金を引き落とす精算工程と、を有し、前記課金工程を実行するときに、前記特定工程を実行し、前記特定工程を実行した後に前記抽出工程を実行し、前記抽出工程を実行した後に前記精算工程を実行する。
上記の実施形態の構成により、データべースは、予め車両を識別する情報である識別情報と車両の利用者の口座に関する情報である口座情報とを紐づけて記録する。特定工程は、前記検知情報に対応する前記特定車両の識別情報である特定識別情報を特定する。抽出工程は、データベースを基に前記特定識別情報に紐付けられた前記口座情報である特定口座情報を抽出する。精算工程は、抽出した前記特定口座情報に対応する口座から一時停車料金を引き落とす。前記課金工程を実行するときに、前記特定工程を実行し、前記特定工程を実行した後に前記抽出工程を実行し、前記抽出工程を実行した後に前記精算工程を実行する。
その結果、車両が安心して一時停車できるインフラを提供できる。
【００１１】
本発明の実施形態に係る一時停車料金精算方法は、前記課金工程が、車両の利用者に問い合わせて前記口座情報を取得する取得工程と、取得した前記口座情報と前記特定識別情報とを紐つけて前記データベースに追記して更新する更新工程と、を有し、前記課金工程を実行するときに、前記抽出工程で前記特定口座情報を抽出できなかったとき前記取得工程と前記更新工程とを実行する。
上記の実施形態の構成により、取得工程は、車両の利用者に問い合わせて前記口座情報を取得する。更新工程は、取得した前記口座情報と前記特定識別情報とを紐つけて前記データベースに追記して更新する。前記課金工程を実行するときに、前記抽出工程で前記特定口座情報を抽出できなかったとき前記取得工程と前記更新工程とを実行する。
その結果、一時停車可能領域を利用する車両を増やすことができる。
【００１２】
本発明の実施形態に係る一時停車料金精算方法は、一時停車可能領域が道路の路肩に沿ったスペースに設定されたものであるとき、一時停車可能領域を設定されたスペースに沿った道路の混雑状況をリアルタイムに判断する第一判断工程と、を備え、前記第一判断工程で一時停車可能領域を設定されたスペースに沿った道路が混雑していると判断するとき検知情報に対応する特定車両の利用者に一時停車料金を課金しない。
上記の実施形態の構成により、一時停車可能領域が道路の路肩に沿ったスペースに設定されたものであるとき、第一判断工程は、一時停車可能領域を設定されたスペースに沿った道路の混雑状況をリアルタイムに判断する。前記第一判断工程で一時停車可能領域を設定されたスペースに沿った道路が混雑していると判断するとき検知情報に対応する特定車両の利用者に一時停車料金を課金しない。
その結果、道路が混雑している結果として一時停止した車両に課金するのを防ぐことができる。
【００１３】
本発明の実施形態に係る一時停車料金精算方法は、一時停車可能領域が道路の路肩に沿ったスペースに設定されたものであるとき、一時停車可能領域を設定されたスペースに沿った道路の下流に位置する信号機の作動状況をリアルタイムに判断する第二判断工程と、
を備え、前記第二判断工程で一時停車可能領域を設定されたスペースに沿った道路の下流に位置する信号機の信号が停止信号であると判断するとき検知情報に対応する特定車両の利用者に一時停車料金を課金しない、。
上記の実施形態の構成により、一時停車可能領域が道路の路肩に沿ったスペースに設定されたものであるとき、第二判断工程は、一時停車可能領域を設定されたスペースに沿った道路の下流に位置する信号機の作動状況をリアルタイムに判断する。前記第二判断工程で一時停車可能領域を設定されたスペースに沿った道路の下流に位置する信号機の信号が停止信号であると判断するとき検知情報に対応する特定車両の利用者に一時停車料金を課金しない、。
その結果、信号機の信号が停止信号である結果として一時停止した車両に課金するのを防ぐことができる。
【００１４】
上記目的を達成するため、本発明に係る道路の路肩に沿ったスペースまたは道路に面したスペースに設定された単数または複数の車両が一時停車可能な一時停車可能領域に一時停車した車両の一時停車料金を精算する一時停車料金精算用ソフトウエアを、検知手順は車両が一時停車可能領域に停止したことを検知できる検知機器で車両が一時停車可能領域に停止したことを検知したときに一時停車可能領域に停止する車両である特定車両に対応する検知情報を出力する手順であって、課金手順は前記検知情報に対応する前記特定車両の利用者に一時停車料金を課金する手順であって、一時停車料金精算用ＰＣに、前記検知手順を実行して検知情報を出力したとき前記課金手順を実行させる、ものとした。
【００１５】
上記本発明の構成により、検知手順は、車両が一時停車可能領域に停止したことを検知できる検知機器で車両が一時停車可能領域に停止したことを検知したときに一時停車可能領域に停止する車両である特定車両に対応する検知情報を出力する。課金手順は、前記検知情報に対応する前記特定車両の利用者に一時停車料金を課金する。一時停車料金精算用ＰＣに、前記検知手順を実行して検知情報を出力したとき前記課金手順を実行させる。
その結果、車両が安心して一時停車できるインフラを提供できる。
【００１６】
以下に、本発明の実施形態に係る一時停車料金精算用ソフトウエアを説明する。本発明は、以下に記載した実施形態のいずれか、またはそれらの中の二つ以上が組み合わされた態様を含む。
【００１７】
本発明の実施形態に係る一時停車料金精算用ソフトウエアは、データベースは予め車両を識別する情報である識別情報と車両の利用者の口座に関する情報である口座情報とを紐づけて記録されるものであって、前記課金手順が、前記検知情報に対応する前記特定車両の識別情報である特定識別情報を特定する特定手順と、前記データベースを基に前記特定識別情報に紐付けられた前記口座情報である特定口座情報を抽出する抽出手順と、抽出した前記特定口座情報に対応する口座から一時停車料金を引き落とす精算手順と、を有し、一時停車料金精算用ＰＣに、前記課金手順を実行させるときに、前記特定工程を実行させた後で前記抽出工程を実行させ、前記抽出工程を実行させた後で前記精算工程を実行させる。
上記の実施形態の構成により、データべースは、予め車両を識別する情報である識別情報と車両の利用者の口座に関する情報である口座情報とを紐づけて記録される。特定手順は、前記検知情報に対応する前記特定車両の識別情報である特定識別情報を特定する。抽出手順は、前記データベースを基に前記特定識別情報に紐付けられた前記口座情報である特定口座情報を抽出する。精算手順は、抽出した前記特定口座情報に対応する口座から一時停車料金を引き落とす。一時停車料金精算用ＰＣに、前記課金手順を実行させるときに、前記特定工程を実行させた後で前記抽出工程を実行させ、前記抽出工程を実行させた後で前記精算工程を実行させる。
その結果、車両が安心して一時停車できるインフラを提供できる。
【００１８】
本発明の実施形態に係る一時停車料金精算用ソフトウエアは、前記課金手順が、車両の利用者に問い合わせて前記口座情報を取得する取得手順と、取得した前記口座情報と前記特定識別情報とを紐つけて前記データベースに追記して更新するデータべース更新手順と、を有し、一時停車料金精算用ＰＣに、前記課金手順を実行させるときに、前記抽出工程を実行させて前記特定口座情報を抽出できなかったとき前記取得手順と前記データべース更新手順とを実行させる。
上記の実施形態の構成により、取得手順は、車両の利用者に問い合わせて前記口座情報を取得する。データべース更新手順は、取得した前記口座情報と前記特定識別情報とを紐つけて前記データベースに追記して更新する。一時停車料金精算用ＰＣに、前記課金手順を実行させるときに、前記抽出工程を実行させて前記特定口座情報を抽出できなかったとき前記取得手順と前記データべース更新手順とを実行させる。
その結果、一時停車可能領域を利用する車両を増やすことができる。
【００１９】
一時停車可能領域が道路の路肩に沿ったスペースに設定されたものであるとき、第一判断手順は一時停車可能領域を設定されたスペースに沿った道路の混雑状況をリアルタイムに判断する手順であって、一時停車料金精算用ＰＣに、前記第一判断手順を実行させて一時停車可能領域を設定されたスペースに沿った道路が混雑していると判断するとき検知情報に対応する特定車両の利用者に一時停車料金を課金しない。
上記の実施形態の構成により、一時停車可能領域が道路の路肩に沿ったスペースに設定されたものであるとき、第一判断手順は、一時停車可能領域を設定されたスペースに沿った道路の混雑状況をリアルタイムに判断する。一時停車料金精算用ＰＣに、前記第一判断手順を実行させて、一時停車可能領域を設定されたスペースに沿った道路が混雑していると判断するとき検知情報に対応する特定車両の利用者に一時停車料金を課金しない。
その結果、道路が混雑している結果として一時停止した車両に課金するのを防ぐことができる。
【００２０】
本発明の実施形態に係る一時停車料金精算用ソフトウエアは、一時停車可能領域が道路の路肩に沿ったスペースに設定されたものであるとき、第二判断手順は一時停車可能領域を設定されたスペースに沿った道路の下流に位置する信号機の作動状況をリアルタイムに判断する手順であって、一時停車料金精算用ＰＣに、前記第二判断工程を実行させて一時停車可能領域を設定されたスペースに沿った道路の下流に位置する信号機の信号が停止信号であると判断するとき検知情報に対応する特定車両の利用者に一時停車料金を課金しない。
上記の実施形態の構成により、一時停車可能領域が道路の路肩に沿ったスペースに設定されたものであるとき、第二判断手順は、一時停車可能領域を設定されたスペースに沿った道路の下流に位置する信号機の作動状況をリアルタイムに判断する。
一時停車料金精算用ＰＣに、前記第二判断手順を実行させて、一時停車可能領域を設定されたスペースに沿った道路の下流に位置する信号機の信号が停止信号であると判断するとき、検知情報に対応する特定車両の利用者に一時停車料金を課金しない。
その結果、信号機の信号が停止信号である結果として一時停止した車両に課金するのを防ぐことができる。
【発明の効果】
【００２１】
以上説明したように、本発明に係る一時停車料金精算方法は、その構成により、以下の効果を有する。
車両が一時停車可能領域に停止したことを検知したときに検知情報を出力して、検知信号に対応する特定車両の利用者に一時停車料金を課金する様にしたので、車両が安心して一時停車できるインフラを提供できる。
また、前記検知情報に対応する前記特定車両の特定識別情報を特定し、データベースを基に前記特定識別情報に紐付けられた特定口座情報を抽出し、抽出した前記特定口座情報に対応する口座から一時停車料金を引き落とす様にしたので、車両が安心して一時停車できるインフラを提供できる。
また、前記特定口座情報を抽出できなかったとき、車両の利用者に問い合わせて前記口座情報を取得し、取得した前記口座情報と前記特定識別情報とを紐つけて前記データベースに追記して更新する様にしたので、一時停車可能領域を利用する車両を増やすことができる。
また、一時停車可能領域を設定されたスペースに沿った道路が混雑していると判断するとき検知情報に対応する特定車両の利用者に一時停車料金を課金しない様にしたので、道路が混雑している結果として一時停止した車両に課金するのを防ぐことができる。
また、一時停車可能領域を設定されたスペースに沿った道路の下流に位置する信号機の信号が停止信号であると判断するとき検知情報に対応する特定車両の利用者に一時停車料金を課金しない様にしたので、信号機の信号が停止信号である結果として一時停止した車両に課金するのを防ぐことができる。
【００２２】
以上説明したように、本発明に係る一時停車料金精算用ソフトウエアは、その構成により、以下の効果を有する。
車両が一時停車可能領域に停止し（たことを検知したときに検知情報を出力して、検知信号に対応する特定車両の利用者に一時停車料金を課金する様にしたので、車両が安心して一時停車できるインフラを提供できる。
また、前記検知情報に対応する前記特定車両の特定識別情報を特定し、データベースを基に前記特定識別情報に紐付けられた特定口座情報を抽出し、抽出した前記特定口座情報に対応する口座から一時停車料金を引き落とす様にしたので、車両が安心して一時停車できるインフラを提供できる。
また、前記特定口座情報を抽出できなかったとき、車両の利用者に問い合わせて前記口座情報を取得し、取得した前記口座情報と前記特定識別情報とを紐つけて前記データベースに追記して更新する様にしたので、一時停車可能領域を利用する車両を増やすことができる。
また、一時停車可能領域を設定されたスペースに沿った道路が混雑していると判断するとき検知情報に対応する特定車両の利用者に一時停車料金を課金しない様にしたので、道路が混雑している結果として一時停止した車両に課金するのを防ぐことができる。
また、一時停車可能領域を設定されたスペースに沿った道路の下流に位置する信号機の信号が停止信号であると判断するとき検知情報に対応する特定車両の利用者に一時停車料金を課金しない様にしたので、信号機の信号が停止信号である結果として一時停止した車両に課金するのを防ぐことができる。
その結果、安心して道路に車両を一時停車させるためのインフラを提供できる。
【図面の簡単な説明】
【００２３】
【図１】本発明の実施形態に係る一時停車料金精算システムの概念図である。
【図２】本発明の第一の実施形態に係る一時停車料金精算方法の手順図である。
【図３】本発明の第二の実施形態に係る一時停止料金精算方法の手順図である。
【発明を実施するための形態】
【００２４】
以下、本発明を実施するための形態を、図面を参照して説明する。
【００２５】
本発明の実施形態にかかる一時停車料金精算システムを、図を基に、説明する。
図１は、本発明の実施形態に係る一時停車料金精算システムの概念図である。
【００２６】
本発明の実施形態に係る一時停車料金精算システムは、道路の路肩に沿ったスペースまたは道路に面したスペースに設定された単数または複数の車両が一時停車可能な一時停車可能領域に一時停車した車両の一時停車料金を精算するシステムである。
図１（Ａ）は、道路に面したスペースに設定された一時停車可能領域に一時停車した車両の一時停車料金を精算する一時停車料金精算システムを示す。
図１（Ｂ）は、道路の路肩に沿ったスペースに設定された一時停車可能領域に一時停車した車両の一時停車料金を精算する一時停車料金精算システムを示す。
一時停車可能領域は、単数または複数の車両が一時停車可能な領域である。
【００２７】
本発明の実施形態に係る一時停車料金精算システムは、一時停車料金精算用ＰＣを備える。
一時停車料金精算用ＰＣはコンピュータである。
コンピュータは、ＣＰＵ、メモリ、記憶装置、各種のＩ／Ｏで構成される。
コンピュータは、Ｉ／Ｏを介して通信網にアクセスできる。
コンピュータは、一時停車管理システム用ソフトウエアがインストールされる。
一時停車料金精算用ソフトウエアは、各種の機能を実現させる。
【００２８】
図１は、道路を走行する車両が道路から一時停車可能領域Ｒに入り一時停止する様子を示す。
また、図１は、一時停車可能領域Ｒに一時停止する車両が一時停車可能領域Ｒから出て駐車場Ｐに入る様子を示す。
【００２９】
次に、本発明の実施形態にかかる一時停車料金精算方法を、図を基に、説明する。
図２は、本発明の第一の実施形態に係る一時停車料金精算方法の手順図である。
本発明の実施形態にかかる一時停車料金精算方法は、準備工程Ｓ１０と検知工程Ｓ３０と課金工程Ｓ４０とで構成される。
準備工程Ｓ１０を実行する。
検知工程Ｓ３０を実行し検知情報を出力したとき課金工程Ｓ４０を実行する。
【００３０】
本発明の実施形態にかかる一時停車料金精算方法は、準備工程Ｓ１０と検知工程Ｓ３０と課金工程Ｓ４０とリセット工程Ｓ５０とで構成されてもよい。
準備工程Ｓ１０を実行する。
検知工程Ｓ３０を実行し検知情報を出力したとき課金工程Ｓ４０を実行し、課金工程Ｓ４０を実行した後にリセット工程Ｓ５０を実行する。
【００３１】
準備工程Ｓ１０は、第一準備工程で構成される。
準備工程Ｓ１０は、第一準備工程と第二準備工程とで構成されてもよい。
【００３２】
第一準備工程は、検知機器Ｋを準備する工程である。
検知機器Ｋは、車両が一時停車可能領域Ｒに停止したことを検知できる機器である。
検知機器Ｋは、車両が一時停車可能領域Ｒに進入して停止したことを検知できてきてもよい。
検知機器Ｋは、一時停車可能領域Ｒに停止した車両が動きだしたこととを検知できてもよい。
検知機器Ｋは、一時停車可能領域Ｒに停止した車両が動きだして一時停車可能領域Ｒから出たことを検知できてもよい。
検知機器Ｋは、車両が一時停車可能領域Ｒに停止したことと一時停車可能領域に停止した車両が動きだして一時停車可能領域Ｒから出たこととを検知できてもよい。
検知機器Ｋは、車両が一時停車可能領域Ｒに停止したことと一時停車可能領域に停止した車両が動きだして一時停車可能領域Ｒから出たこととを検知できてもよい。
検知機器Ｋは、車両が一時停車可能領域Ｒに停止したことを検知したときに一時停車可能領域に停止する車両である特定車両に対応する検知情報を出力できる。
検知機器Ｋは、車両が一時停車可能領域Ｒに停止し、一時停車に相当する一定時間停止を継続したことを検知したときに一時停車可能領域に停止する車両である特定車両に対応する検知情報を出力できてもよい。
検知情報が、車両が一時停車可能領域Ｒに停止した旨を知らせる情報である。
検知情報は、車両の停止位置であってもよい。
検知情報は、車両の停止位置、停止開示時刻であってもよい。
例えば、停車位置は、車両の停止した一時停車可能領域Ｒ内での相対的な位置である。
例えば、検知機器Ｋは、一時停車可能領域Ｒに停止した車両を撮影し、撮影した映像を解析して車両の停止位置、停止開示時刻を検知情報として出力できてもよい。
【００３３】
検知機器Ｋは、一時停車可能領域Ｒに停止した車両を撮影し、撮影した映像を解析して得た検知情報を識別情報と紐づけして出力できてもよい。
検知機器Ｋは、一時停車可能領域Ｒに停止した車両を撮影し、撮影した映像を解析して車両の停止位置、停止開示時刻を含む検知情報を識別情報と紐づけして出力できてもよい。
【００３４】
識別情報は、車両を識別できる情報である。
例えば、検知機器Ｋは、一時停車可能領域Ｒに停止した車両を撮影し、撮影した映像を解析して車両の車両番号を認識情報として出力できる。
例えば、検知機器Ｋは、一時停車可能領域Ｒに停止した車両に搭載されるＥＴＣデバイスと通信し、受信したＥＴＣ情報を識別情報として出力できる。
例えば、検知機器Ｋは、一時停車可能領域Ｒに停止した車両の利用者のスマートフォンと通信し、受信した利用者ＩＤを識別情報として出力できる。
例えば、権検知機器Ｋは、一時停車可能領域Ｒに停止した車両を検知でき、一時停車可能領域Ｒ以外に位置する車両を検知しない指向性を持つ。
【００３５】
第二準備工程は、予めデータベースＤＢを準備する工程である。
データベースＤＢは、識別情報と口座情報とを紐づけて記録される。
識別情報は、車両を識別する情報である。
口座情報は、車両の利用者の口座に関する情報である
例えば、識別情報は、車両番号、ＥＴＣ情報、専用コード、会員ＩＤ、その他である。
【００３６】
検知工程Ｓ３０は、検知機器Ｋが車両が一時停車可能領域に停止したことを検知したときに、一時停車可能領域Ｒに停止する車両である特定車両に対応する検知情報を出力する工程である。
検知工程Ｓ３０は、検知機器Ｋが車両が一時停車可能領域に停止し一時停車に相当する一定時間停止を継続したことを検知したときに、一時停車可能領域Ｒに停止する車両である特定車両に対応する検知情報を出力してもよい。
一定時間は、一定の数秒、または一定の数分であってもよい。
例えば、一定時間は、５分である。
検知情報は、検知した車両の停止位置、停止開始時刻であってもよい。
検知情報は、後述する識別情報と紐づけられていてもよい。
識別情報は、車両を識別できる情報である。
例えば、識別情報は、検知した車両の車番、検知した車両の搭載するＥＴＣのＥＴＣ情報、又は車両の利用者利用者ＩＤ、である。
利用者ＩＤは、車両番号を基に検索されてもよい。
利用者が利用者ＩＤをもたないとき、車両番号を基に検索した利用者に利用者ＩＤを付与してもよい。
【００３７】
課金工程Ｓ４０は、検知情報に対応する特定車両の利用者に一時停車料金を課金する工程である。
課金工程Ｓ４０は、特定工程Ｓ４１と抽出工程Ｓ４２と精算工程Ｓ４３とで構成される。
課金工程Ｓ４０は、特定工程Ｓ４１と抽出工程Ｓ４２と精算工程Ｓ４３と取得工程Ｓ４４と更新工程Ｓ４５で構成されてもよい。
【００３８】
課金工程Ｓ４０を実行するときに、特定工程Ｓ４１を実行し、特定工程Ｓ４１を実行した後に抽出工程Ｓ４２を実行し、抽出工程Ｓ４２を実行した後に精算工程Ｓ４３を実行する、
課金工程Ｓ４０を実行するときに、抽出工程Ｓ４２で特定口座情報を抽出できなかったとき取得工程Ｓ４４と更新工程Ｓ４５とを実行してもよい。
【００３９】
特定工程Ｓ４１は、検知情報に対応する特定車両の識別情報である特定識別情報を特定する工程である。
特定工程Ｓ４１は、検知機器または別個の機器である識別機器を用いて、検知情報に対応する特定車両の識別情報である特定識別情報を特定してもよい。
識別情報は、車両を識別できる情報である。
例えば、識別情報は、検知した車両の車番、検知した車両の搭載するＥＴＣのＥＴＣ情報、又は車両の利用者の利用者ＩＤ、である。
特定識別情報は、特定車両を識別できる情報である。
例えば、識別機器は、車両の映像を解析して車両の車番を識別情報として出力する。
例えば、識別機器は、車両のＥＴＣ機器に無線通信し、入手した車両のＥＴＣ情報を識別情報として出力する。
例えば、識別機器は、車両の利用者のスマートホンに無線通信し、入手した車両の利用者の利用者ＩＤを識別情報として出力する。
例えば、識別機器は、車両の利用者のスマートホンに無線通信し、入手した車両の利用者の利用者ＩＤを識別情報として出力する。
【００４０】
抽出工程Ｓ４２は、データベースＤＢを基に特定識別情報に紐付けられた口座情報である特定口座情報を抽出する工程である。
特定口座情報は、検知機器Ｋに検知された車両の利用者の口座にかかる情報である。
特定口座情報を抽出できなかったとき、精算工程Ｓ４３を実行しない。
特定口座情報を抽出できなかったとき、スタートに戻る、または取得工程Ｓ４４へ進む。
【００４１】
精算工程Ｓ４３は、抽出した特定口座情報に対応する口座から一時停車料金を引き落とす工程である。
その結果、一時停車可能領域に停止した車両の利用者の口座から一時停車料金を引き落とことができる。
または、一時停車可能領域に停止し一定時間停止を継続した車両の利用者の口座から一時停車料金を引き落とことができる。
【００４２】
取得工程Ｓ４４は、車両の利用者に問い合わせて口座情報を取得する工程である。
一時停車料金精算システムが車両の利用者に問い合わせて口座情報を取得する。
例えば、一時停車料金精算システムの運営者が車両の利用者に問い合わせて口座情報を取得する。
例えば、一時停車料金精算システムの運営者が利用者ＩＤを基に利用者の携帯電話番号を特定し、携帯電話を介して車両の利用者に問い合わせて口座情報を取得する。
取得工程Ｓ４４で口座情報を取得できなかったとき、スタートに戻る。
【００４３】
更新工程Ｓ４５は、取得した口座情報と特定識別情報とを紐つけてデータベースＤＢに追記して更新する工程である。
【００４４】
リセット工程Ｓ５０は、特定車両の検知情報をリセットする工程である。
リセット工程Ｓ５０は、課金工程で課金を完了したときに特定車両の検知情報をリセットしてもよい。
リセット工程Ｓ５０は、検知機器Ｋが一時停車可能領域Ｒに停止した車両が動きだしたこととを検知したとき特定車両の検知情報をリセットしてもよい。
リセット工程Ｓ５０は、検知機器Ｋが一時停車可能領域Ｒに停止した車両が動き一時停車可能領域Ｒから出たこととを検知したとき特定車両の検知情報をリセットしてもよい。
リセット工程Ｓ５０を実行すると、スタートへ戻る。
【００４５】
スタートへ戻ると、検知工程Ｓ３０が次の車両の検知を行う。
【００４６】
次に、本発明の第二の実施形態にかかる一時停車料金精算方法を、図を基に、説明する。
図３は、本発明の第二の実施形態に係る一時停車料金精算方法の手順図である。
本発明の第二の実施形態にかかる一時停車料金精算方法は、準備工程Ｓ１０と判断工程Ｓ２０と検知工程Ｓ３０と課金工程Ｓ４０とで構成される。
準備工程Ｓ１０を実行する。
検知工程Ｓ３０を実行し検知情報を出力したとき課金工程Ｓ４０を実行する。
【００４７】
本発明の実施形態にかかる一時停車料金精算方法は、準備工程Ｓ１０と判断工程Ｓ２０と検知工程Ｓ３０と課金工程Ｓ４０とリセット工程Ｓ５０とで構成されてもよい。
準備工程Ｓ１０を実行する。
検知工程Ｓ３０を実行し検知情報を出力したとき課金工程Ｓ４０を実行し、課金工程Ｓ４０を実行した後にリセット工程Ｓ５０を実行する。
一時停車可能空間Ｒが道路の路肩に沿ったスペースに設定されたものであるとき、本発明の第二の実施形態にかかる一時停車料金精算方法を採用してもよい。
【００４８】
準備工程Ｓ１０と検知工程Ｓ３０と課金工程Ｓ４０とリセット工程Ｓ５０とは第一の実施形態にかかる一時停車料金精算方法と同じなので、説明を省略する。
【００４９】
判断工程Ｓ２０は、第一判断工程で構成される。
判断工程Ｓ２０は、第二判断工程で構成される。
判断工程Ｓ２０は、第一判断工程と第二判断工程とで構成される。
【００５０】
第一判断工程は、一時停車可能領域Ｒを設定されたスペースに沿った道路の混雑状況をリアルタイムに判断する工程である。
例えば、第一判断工程は、道路状況判断機器Ｓが道路状況を出すシステムにアクセスして、一時停車可能領域Ｒを設定されたスペースに沿った道路の混雑状況をリアルタイムに判断する。
第一判断工程で一時停車可能領域を設定されたスペースに沿った道路が混雑していないと判断するとき、検知情報に対応する特定車両の利用者に一時停車料金を課金する。
第一判断工程で一時停車可能領域を設定されたスペースに沿った道路が混雑していると判断するとき、検知情報に対応する特定車両の利用者に一時停車料金を課金しない。
【００５１】
例えば、第一判断工程で一時停車可能領域を設定されたスペースに沿った道路が混雑していると判断するとき、検知工程Ｓ３０を実行しない。検知工程Ｓ３０を実行しないので、検知情報に対応する特定車両の利用者に一時停車料金を課金しない。
例えば、第一判断工程で一時停車可能領域を設定されたスペースに沿った道路が混雑していると判断するとき、検知工程Ｓ３０が検知情報を出力しない。検知工程Ｓ３０で検知情報を出力しないので、検知情報に対応する特定車両の利用者に一時停車料金を課金しない。
例えば、第一判断工程で一時停車可能領域を設定されたスペースに沿った道路が混雑していると判断するとき、課金工程Ｓ４０を実行しない。課金工程Ｓ４０を実行しないので、検知情報に対応する特定車両の利用者に一時停車料金を課金しない。
【００５２】
第二判断工程は、一時停車可能領域を設定されたスペースに沿った道路の下流に位置する信号機の作動状況をリアルタイムに判断する工程である。
例えば、第二判断工程は、道路状況判断機器Ｓが道路信号を出すシステムにアクセスして、一時停車可能領域を設定されたスペースに沿った道路の下流に位置する信号機の信号が停止信号の状態をリアルタイムに判断する。
第二判断工程で一時停車可能領域を設定されたスペースに沿った道路の下流に位置する信号機の信号が停止信号でないと判断するとき、検知情報に対応する特定車両の利用者に一時停車料金を課金する。
第二判断工程で一時停車可能領域を設定されたスペースに沿った道路の下流に位置する信号機の信号が停止信号であると判断するとき、検知情報に対応する特定車両の利用者に一時停車料金を課金しない。
【００５３】
例えば、第二判断工程で一時停車可能領域を設定されたスペースに沿った道路の下流に位置する信号機の信号が停止信号であると判断するとき、検知工程Ｓ３０を実行しない。検知工程Ｓ３０を実行しない結果として、検知情報に対応する特定車両の利用者に一時停車料金を課金しないこととなる。
例えば、第二判断工程で一時停車可能領域を設定されたスペースに沿った道路の下流に位置する信号機の信号が停止信号であると判断するとき、検知工程Ｓ３０が検知情報を出力しない。検知工程Ｓ３０検知情報を出力しない結果として、検知情報に対応する特定車両の利用者に一時停車料金を課金しないこととなる。
例えば、第二判断工程で一時停車可能領域を設定されたスペースに沿った道路の下流に位置する信号機の信号が停止信号であると判断するとき、課金工程を実行しない。課金工程Ｓ４０を実行しない結果として、検知情報に対応する特定車両の利用者に一時停車料金を課金しないこととなる。
【００５４】
次に、本発明の実施形態にかかる一時停車料金精算用ソフトウエアを、図を基に、説明する。
本発明の実施形態にかかる一時停車料金精算用ソフトウエアは、一時停車料金精算用ＰＣに、検知手順を実行させ検知情報を出力したとき課金手順を実行させる。
【００５５】
本発明の実施形態にかかる一時停車料金精算用ソフトウエアは、一時停車料金精算用ＰＣに、検知手順を実行させ検知情報を出力したとき課金手順を実行させ、課金手順を実行させたときにリセット手順を実行させる。
【００５６】
データべースＤＢは、予め識別情報と口座情報とを紐づけて記録されるものである。
口座情報は、車両の利用者の口座に関する情報である。
識別情報は、車両を識別する情報である。
例えば、識別情報は、車両番号、ＥＴＣ情報、専用コード、会員ＩＤ、等である。
口座情報は、車両の利用者の口座に関する情報である。
【００５７】
検知手順は、車両が一時停車可能領域に停止したことを検知できる検知機器で車両が一時停車可能領域に停止したことを検知したときに一時停車可能領域に停止する車両である特定車両に対応する検知情報を出力する手順である。
検知手順は、車両が一時停車可能領域に停止したことを検知できる検知機器で車両が一時停車可能領域に停止し一時停止に相当する一定時間停止を継続したことを検知したときに一時停車可能領域に停止する車両である特定車両に対応する検知情報を出力してもよい。
検知機器Ｋ、一定時間、検知情報の説明は、第一の実施形態に係る一時停車料金精算方法のものと同じなので、省略する。
【００５８】
課金手順は検知情報に対応する特定車両の利用者に一時停車料金を課金する手順である。
課金手順は、特定手順と抽出手順と精算手順とで構成される。
課金手順は、特定手順と抽出手順と精算手順と取得手順と更新手順とで構成されてもよい。
【００５９】
一時停車料金精算用ＰＣに課金手順を実行させるときに、一時停車料金精算用ＰＣに、特定手順を実行させ、特定手順を実行させた後に抽出手順を実行させ、抽出手順を実行させた後にに精算手順を実行させる。
一時停車料金精算用ＰＣに課金手順を実行するときに、一時停車料金精算用ＰＣに、抽出手順で特定口座情報を抽出できなかったとき取得手順と更新手順とを実行させてもよい。
【００６０】
特定手順は、検知情報に対応する特定車両の識別情報である特定識別情報を特定する手順である。
識別情報、特定識別情報の説明は、第一の実施形態に係る一時停車料金精算方法のものと同じなので、省略する。
【００６１】
抽出手順は、データベースＤＢを基に特定識別情報に紐付けられた口座情報である特定口座情報を抽出する手順である。
特定口座情報の説明は、第一の実施形態に係る一時停車料金精算方法のものと同じなので、省略する。
特定口座情報を抽出できなかったとき、精算手順を実行させない。
特定口座情報を抽出できなかったとき、スタートに戻る、または取得手順を実行させる。
【００６２】
精算手順は、抽出した特定口座情報に対応する口座から一時停車料金を引き落とす手順である。
その結果、一時停車可能領域に停止した車両の利用者の口座から一時停車料金を引き落とことができる。
または、一時停車可能領域に停止し一定時間停止を継続した車両の利用者の口座から一時停車料金を引き落とことができる。
【００６３】
取得手順は、車両の利用者に問い合わせて口座情報を取得する手順である。
一時停車料金精算システムが車両の利用者に問い合わせて口座情報を取得する。
例えば、一時停車料金精算システムの運営者が車両の利用者に問い合わせて口座情報を取得する。
例えば、一時停車料金精算システムの運営者が利用者ＩＤを基に利用者の携帯電話番号を特定し、携帯電話を介して車両の利用者に問い合わせて口座情報を取得する。
取得工程Ｓ４４で口座情報を取得できなかったとき、スタートに戻る。
【００６４】
更新手順は、取得した口座情報と特定識別情報とを紐つけてデータベースＤＢに追記して更新する手順である。
【００６５】
リセット手順は、特定車両の検知情報をリセットする手順である。
リセット手順を実行させると、スタートへ戻る。
【００６６】
スタートへ戻ると、検知手順を実行させて、次の車両の検知を行う。
【００６７】
次に、本発明の第二の実施形態にかかる一時停車料金精算用ソフトウエアを、説明する。
一時停車可能空間Ｒが道路の路肩に沿ったスペースに設定されたものであるとき、本発明の第二の実施形態にかかる一時停車料金精算用ソフトウエアを採用してもよい。
本発明の第二の実施形態にかかる一時停車料金精算方法は、判断手順と検知手順と課金手順とで構成される。
一時停車料金精算用ＰＣに、検知手順を実行させ検知情報を出力したとき課金手順を実行させる。
【００６８】
本発明の第二の実施形態にかかる一時停車料金精算方法は、一時停車料金精算用ＰＣに、検知手順を実行させ検知情報を出力したとき課金手順を実行させ、課金手順を実行した後にリセット手順を実行してもよい。
【００６９】
検知工程手順と課金手順とリセット手順とは第一の実施形態にかかる一時停車料金精算用ソフトウエアと同じなので、説明を省略する。
【００７０】
判断手順は、第一判断手順で構成される。
判断手順は、第二判断手順で構成される。
判断手順は、第一判断手順と第二判断手順とで構成される。
【００７１】
第一判断手順は、一時停車可能領域Ｒを設定されたスペースに沿った道路の混雑状況をリアルタイムに判断する手順である。
第一判断手順を実行させ一時停車可能領域を設定されたスペースに沿った道路が混雑していないと判断するとき、検知情報に対応する特定車両の利用者に一時停車料金を課金する。
第一判断手順を実行させ一時停車可能領域を設定されたスペースに沿った道路が混雑していると判断するとき、検知情報に対応する特定車両の利用者に一時停車料金を課金しない。
例えば、第一判断手順を実行させ一時停車可能領域を設定されたスペースに沿った道路が混雑していると判断するとき、検知手順を実行させない。検知手順を実行させないので、検知情報に対応する特定車両の利用者に一時停車料金を課金しない。
例えば、第一判断手順を実行させで一時停車可能領域を設定されたスペースに沿った道路が混雑していると判断するとき、検知手順を実行しても検知情報を出力しない。検知情報を出力しないので、検知情報に対応する特定車両の利用者に一時停車料金を課金しない。
例えば、第一判断手順を実行させ一時停車可能領域を設定されたスペースに沿った道路が混雑していると判断するとき、課金手順を実行させない。課金手順を実行させないので、検知情報に対応する特定車両の利用者に一時停車料金を課金しない。
【００７２】
第二判断手順は、一時停車可能領域を設定されたスペースに沿った道路の下流に位置する信号機の作動状況をリアルタイムに判断する手順である。
第二判断手順を実行させ一時停車可能領域を設定されたスペースに沿った道路の下流に位置する信号機の信号が停止信号でないと判断するとき、検知情報に対応する特定車両の利用者に一時停車料金を課金する。
第二判断手順を実行させ一時停車可能領域を設定されたスペースに沿った道路の下流に位置する信号機の信号が停止信号であると判断するとき、検知情報に対応する特定車両の利用者に一時停車料金を課金しない。
例えば、第二判断手順を実行させ一時停車可能領域を設定されたスペースに沿った道路の下流に位置する信号機の信号が停止信号であると判断するとき、検知手順を実行させない。検知手順を実行させないので、検知情報に対応する特定車両の利用者に一時停車料金を課金しない。
例えば、第二判断手順を実行させ一時停車可能領域を設定されたスペースに沿った道路の下流に位置する信号機の信号が停止信号であると判断するとき、検知手順を試行させても検知情報を出力しない検知情報を出力しない結果として、検知情報に対応する特定車両の利用者に一時停車料金を課金しない。
例えば、第二判断手順を実行させ一時停車可能領域を設定されたスペースに沿った道路の下流に位置する信号機の信号が停止信号であると判断するとき、課金手順を実行させない。課金工程を実行させないので、検知情報に対応する特定車両の利用者に一時停車料金を課金しない。
【００７３】
以上説明したように、本発明の実施形態に係る一時停車料金精算方法は、その構成により、以下の効果を有する。
車両が一時停車可能領域に停止したことを検知したときに検知情報を出力して、検知信号に対応する特定車両の利用者に一時停車料金を課金する様にしたので、車両が安心して一時停車できるインフラを提供できる。
また、検知情報に対応する特定車両の特定識別情報を特定し、データベースを基に特定識別情報に紐付けられた特定口座情報を抽出し、抽出した特定口座情報に対応する口座から一時停車料金を引き落とす様にしたので、車両が安心して一時停車できるインフラを提供できる。
また、特定口座情報を抽出できなかったとき、車両の利用者に問い合わせて口座情報を取得し、取得した口座情報と特定識別情報とを紐つけてデータベースに追記して更新する様にしたので、一時停車可能領域を利用する車両を増やすことができる。
また、一時停車可能領域を設定されたスペースに沿った道路が混雑していると判断するとき検知情報に対応する特定車両の利用者に一時停車料金を課金しない様にしたので、道路が混雑している結果として一時停止した車両に課金するのを防ぐことができる。
また、一時停車可能領域を設定されたスペースに沿った道路の下流に位置する信号機の信号が停止信号であると判断するとき検知情報に対応する特定車両の利用者に一時停車料金を課金しない様にしたので、信号機の信号が停止信号である結果として一時停止した車両に課金するのを防ぐことができる。
【００７４】
以上説明したように、本発明の実施形態に係る一時停車料金精算用ソフトウエアは、その構成により、以下の効果を有する。
車両が一時停車可能領域に停止したことを検知したときに検知情報を出力して、検知信号に対応する特定車両の利用者に一時停車料金を課金する様にしたので、車両が安心して一時停車できるインフラを提供できる。
また、検知情報に対応する特定車両の特定識別情報を特定し、データベースを基に特定識別情報に紐付けられた特定口座情報を抽出し、抽出した特定口座情報に対応する口座から一時停車料金を引き落とす様にしたので、車両が安心して一時停車できるインフラを提供できる。
また、特定口座情報を抽出できなかったとき、車両の利用者に問い合わせて口座情報を取得し、取得した口座情報と特定識別情報とを紐つけてデータベースに追記して更新する様にしたので、一時停車可能領域を利用する車両を増やすことができる。
また、一時停車可能領域を設定されたスペースに沿った道路が混雑していると判断するとき検知情報に対応する特定車両の利用者に一時停車料金を課金しない様にしたので、道路が混雑している結果として一時停止した車両に課金するのを防ぐことができる。
また、一時停車可能領域を設定されたスペースに沿った道路の下流に位置する信号機の信号が停止信号であると判断するとき検知情報に対応する特定車両の利用者に一時停車料金を課金しない様にしたので、信号機の信号が停止信号である結果として一時停止した車両に課金するのを防ぐことができる。
【００７５】
本発明は以上に述べた実施形態に限られるものではなく、発明の要旨を逸脱しない範囲で各種の変更が可能である。
例えば、一時停車可能空間に停車する時間が一定時間を越えたとき、車両を隣接する駐車場に誘導してもよい。
例えば、自動車が自動運転機能をもつ場合、車両を隣接する駐車場に自動的に誘導する。
【符号の説明】
【００７６】
Ｒ  一時停車可能領域
Ｐ  駐車場
Ｓ  道路状況判断機器
Ｋ  検知機器
ＤＢ  データベース
Ｓ１０  準備工程
Ｓ２０  判断工程
Ｓ３０  検知工程
Ｓ４０  課金工程
Ｓ４１  特定工程
Ｓ４２  抽出工程
Ｓ４３  精算工程
Ｓ４４  取得工程
Ｓ４５  更新工程
Ｓ５０  リセット工程
【先行技術文献】
【特許文献】
【００７７】
【特許文献１】特開２００４−３４１７１５号
【特許文献２】特開２００３−１５０９９１号
【図１】
2019003231.tif 000003
【図２】
2019003231.tif 000004
【図３】
2019003231.tif 000005